Podtech/llm-jp-corpus-v4-ja_patent huggingface dataset:
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるより前に、通常遊技状態よりも遊技者にとって有利な特別遊技状態への移行を伴う特別表示結果と、前記賭数の設定に前記遊技用価値を用いることなく次のゲームを行うことが可能な複数種類の再遊技表示結果とを含む入賞表示結果の導出を許容するか否かを決定する事前決定手段と、
前記事前決定手段の決定結果に応じて前記可変表示装置に表示結果を導出させる導出制御手段と、
前記通常遊技状態と、前記特別遊技状態と、該特別遊技状態とは異なる遊技者にとって有利な有利状態とを含む複数種類の遊技状態の間で遊技状態を制御する遊技状態制御手段とを備え、
前記遊技状態制御手段は、
前記可変表示装置の表示結果として前記特別表示結果が導出されたときに、所定の終了条件が成立するまで前記特別遊技状態に遊技状態を制御する特別遊技状態制御手段と、
前記特別遊技状態が終了した後に、前記有利状態に遊技状態を制御する有利状態制御手段と、
前記有利状態において前記可変表示装置の表示結果として前記複数種類の再遊技表示結果のうちの特定再遊技表示結果が導出されたときに、該有利状態を終了させて前記通常遊技状態に遊技状態を制御する有利状態終了手段とを含み、
前記有利状態制御手段は、前記特別遊技状態が終了した後の所定期間、前記有利状態のうちの特定有利状態に遊技状態を制御する特定有利状態制御手段を含み、
前記事前決定手段は、前記特定再遊技表示結果の導出を許容する旨を決定するとともに、該特定再遊技表示結果の導出を許容する旨と前記特別表示結果の導出を許容する旨とを同時に決定する特定再遊技表示結果決定手段を含み、
前記特定再遊技表示結果決定手段は、前記特定有利状態において、該特定有利状態以外の有利状態よりも低い確率で前記特定再遊技表示結果の導出を許容する旨を決定するとともに、該特定有利状態以外の有利状態と等しい確率で前記特定再遊技表示結果の導出を許容する旨と前記特別表示結果の導出を許容する旨とを同時に決定する
ことを特徴とするスロットマシン。
【手続補正２】
【補正対象書類名】明細書
【補正対象項目名】００１８
【補正方法】変更
【補正の内容】
【００１８】
上記スロットマシンは、
画像を表示可能な画像表示装置（液晶表示器４）と、
１ゲームよりも長い所定の連続演出期間の間で継続する連続演出（連続演出）と、ゲーム終了後に遊技が進行されていない状態が継続したときに実行されるデモ演出（デモ演出）とを含む前記画像表示装置への画像の表示による複数種類の演出にそれぞれ対応する複数種類の画像演出データを予め格納した画像演出データ格納手段（ＲＯＭ１２３）と、
データを読み書き可能に記憶する手段であって、前記複数種類の画像演出データのうちで実行中の演出に対応する画像演出データが書き込まれる実行演出データ領域（実行演出データ領域１２２−３）と、該実行演出データ領域に書き込まれた画像演出データに基づいて作成される前記画像表示装置に表示すべき画像を示す表示画像データが書き込まれる画像データ領域（フレームバッファ１２２−４）を含む画像演出データ記憶手段（ＲＡＭ１２２）と、
前記画像データ領域に書き込まれた表示画像データに従って前記連続演出及び前記デモ演出を含む前記画像表示装置への画像の表示による演出の実行を制御し、該画像データ領域に書き込まれた表示画像データに応じた画像信号を出力して前記画像表示装置に画像を表示させる演出制御手段（演出制御基板１０２：特にＣＰＵ１２１）とをさらに備えるものであってもよい。この場合において、
前記演出制御手段は、
前記画像データ領域に書き込まれた表示画像データに従って前記連続演出及び前記デモ演出を含む前記画像表示装置への画像の表示による演出の実行を制御し、該画像データ領域に書き込まれた表示画像データに応じた画像信号を出力して前記画像表示装置に画像を表示させるものであって、
前記所定の開始条件が成立したときに、前記画像演出データ格納手段から前記連続演出の画像演出データを読み出し、該読み出した連続演出の画像演出データを前記実行演出データ領域に書き込む連続演出データ書込手段（ステップＳ８３４）と、
ゲームが終了した後に前記画像演出データ格納手段から前記デモ演出の画像演出データを読み出し、該読み出したデモ演出の画像演出データを前記実行演出データ領域に書き込むデモ演出データ書込手段（ステップＳ８６３）と、
前記連続演出データ書込手段が前記実行演出データ領域に前記連続演出の画像演出データを書き込んだ後から前記連続演出期間が終了するまでの間、前記デモ演出データ書込手段が前記実行演出データ領域に前記デモ演出の画像演出データを書き込むことを禁止するデモ演出禁止手段（ステップＳ８５０（ＹＥＳ）：連続カウンタの値が０より大きければ、ステップＳ８５３が実行されない）とを含むものとすることができる。
【手続補正書】
【提出日】平成22年2月16日(2010.2.16)
【手続補正１】
【補正対象書類名】特許請求の範囲
【補正対象項目名】請求項６
【補正方法】変更
【補正の内容】
【請求項６】
撮影時期又はモダリティが異なる第１のスライス画像群と第２のスライス画像群とを取得する工程と、
前記第１のスライス画像群から第１の病変領域を抽出するとともに、前記第２のスライス画像群から前記第１の病変領域に対応する第２の病変領域を抽出する工程と、
前記抽出した第１の病変領域に基づいて前記第１のスライス画像群の第１の基準スライス画像を決定するとともに、前記抽出した第２の病変領域に基づいて前記第２のスライス画像群の第２の基準スライス画像を決定する工程と、
前記第１のスライス画像群及び第２のスライス画像群からそれぞれ比較読影用のスライス画像を選択する工程であって、前記決定した第１の基準スライス画像及び第２の基準スライス画像から等距離のスライス画像をそれぞれ選択する工程と、
前記選択したスライス画像を比較読影可能に表示手段に表示させる工程と、
を含むことを特徴とする画像診断支援方法。
【手続補正２】
【補正対象書類名】特許請求の範囲
【補正対象項目名】請求項７
【補正方法】変更
【補正の内容】
【請求項７】
撮影時期又はモダリティが異なる第１のスライス画像群と第２のスライス画像群とを取得する機能と、
前記第１のスライス画像群から第１の病変領域を抽出するとともに、前記第２のスライス画像群から前記第１の病変領域に対応する第２の病変領域を抽出する機能と、
前記抽出した第１の病変領域に基づいて前記第１のスライス画像群の第１の基準スライス画像を決定するとともに、前記抽出した第２の病変領域に基づいて前記第２のスライス画像群の第２の基準スライス画像を決定する機能と、
前記第１のスライス画像群及び第２のスライス画像群からそれぞれ比較読影用のスライス画像を選択する機能であって、前記決定した第１の基準スライス画像及び第２の基準スライス画像から等距離のスライス画像をそれぞれ選択する機能と、
前記選択したスライス画像を比較読影可能に表示手段に表示させる機能と、
をコンピュータに実現させることを特徴とする画像診断支援プログラム。
【手続補正３】
【補正対象書類名】明細書
【補正対象項目名】００１５
【補正方法】変更
【補正の内容】
【００１５】
請求項６に係る画像診断支援方法は、撮影時期又はモダリティが異なる第１のスライス画像群と第２のスライス画像群とを取得する工程と、前記第１のスライス画像群から第１の病変領域を抽出するとともに、前記第２のスライス画像群から前記第１の病変領域に対応する第２の病変領域を抽出する工程と、前記抽出した第１の病変領域に基づいて前記第１のスライス画像群の第１の基準スライス画像を決定するとともに、前記抽出した第２の病変領域に基づいて前記第２のスライス画像群の第２の基準スライス画像を決定する工程と、前記第１のスライス画像群及び第２のスライス画像群からそれぞれ比較読影用のスライス画像を選択する工程であって、前記決定した第１の基準スライス画像及び第２の基準スライス画像から等距離のスライス画像をそれぞれ選択する工程と、前記選択したスライス画像を比較読影可能に表示手段に表示させる工程と、を含むことを特徴としている。
【手続補正４】
【補正対象書類名】明細書
【補正対象項目名】００１６
【補正方法】変更
【補正の内容】
【００１６】
請求項７に係る画像診断支援プログラムは、撮影時期又はモダリティが異なる第１のスライス画像群と第２のスライス画像群とを取得する機能と、前記第１のスライス画像群から第１の病変領域を抽出するとともに、前記第２のスライス画像群から前記第１の病変領域に対応する第２の病変領域を抽出する機能と、前記抽出した第１の病変領域に基づいて前記第１のスライス画像群の第１の基準スライス画像を決定するとともに、前記抽出した第２の病変領域に基づいて前記第２のスライス画像群の第２の基準スライス画像を決定する機能と、前記第１のスライス画像群及び第２のスライス画像群からそれぞれ比較読影用のスライス画像を選択する機能であって、前記決定した第１の基準スライス画像及び第２の基準スライス画像から等距離のスライス画像をそれぞれ選択する機能と、前記選択したスライス画像を比較読影可能に表示手段に表示させる機能と、をコンピュータに実現させることを特徴としている。
【手続補正５】
【補正対象書類名】明細書
【補正対象項目名】００４７
【補正方法】変更
【補正の内容】
【００４７】
更に、濃度値から、異常陰影の領域内に石灰化有無や空洞有無で分けることができる。石灰化は、注目領域内の濃度の最大値が一定のしきい値（例えば、目安CT値500）以上の場合は、石灰化が存在するものと判定する。空洞は、注目領域内の濃度の最小値が一定のしきい値（例えば、目安CT値−500）以下の場合に空洞が存在すると判定する。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
以下の工程を含む、４−ハロ−３−ヒドロキシブチルアミドの製造方法。
工程I：エピハロヒドリン及び／又は１，３−ジハロ−２−プロパノール、及びシアニドドナーを酵素反応に供し、４−ハロ−３−ヒドロキシブチロニトリルを合成する工程、
工程II：前記ニトリルの濃度（質量％）と塩濃度（アルカリ金属塩と緩衝剤の塩とニッケル、亜鉛、コバルトからなる金属の塩の合計）（質量％）の積が１６０以下となるように、ニトリルヒドラターゼと接触させる工程。
【請求項２】
工程IIにおいて、ニトリルが、工程Iにより製造された後、溶媒を全部または一部留去したものである、請求項１に記載の方法。
【請求項３】
工程IIにおいて、ニトリルをニトリルヒドラターゼと接触させる前に、４−ハロ−３−ヒドロキシブチロニトリルを含む溶液を加熱処理及び／又はニッケル、亜鉛、コバルトからなる金属の塩を１種類以上添加する工程（工程I’）を含む、請求項１又は２に記載の方法。
【請求項４】
下記工程Ｉ’及び IIを含む、４−ハロ−３−ヒドロキシブチルアミドの製造方法。
工程I’：４−ハロ−３−ヒドロキシブチロニトリルを含む溶液を加熱処理及び／又はニッケル、亜鉛、コバルトからなる金属の塩を１種類以上添加する工程、
工程II：上記工程I’で得られる溶液を、その４−ハロ−３−ヒドロキシブチロニトリルの濃度（質量％）と塩濃度（アルカリ金属塩と緩衝剤の塩とニッケル、亜鉛、コバルトからなる金属の塩の合計）（質量％）の積が１６０以下となる条件において、ニトリルヒドラターゼと接触させ、酵素反応により４−ハロ−３−ヒドロキシブチルアミドを得る工程。
【請求項５】
工程I’において、４−ハロ−３−ヒドロキシブチロニトリルを含む溶液中のシアンイオン濃度が、１００ｐｐｍ以下である、請求項３又は４記載の方法。
【請求項６】
工程I’において、ニッケル、亜鉛、コバルトからなる金属の塩を１種類以上添加した後の液をｐＨ６〜８．５で５分以上接触させた後、工程IIの酵素反応に供する、請求項３〜５のいずれか１項に記載の方法。
【請求項７】
工程IIにおいて、４−クロロ−３−ヒドロキシブチロニトリル及び塩化ナトリウムを含む溶液において、４−クロロ−３−ヒドロキシブチロニトリルの濃度（質量％）と塩濃度（アルカリ金属塩と緩衝剤の塩とニッケル、亜鉛、コバルトからなる金属の塩の合計）（質量％）の積が１２０以下となる条件下で、ニトリルヒドラターゼと接触させ、酵素反応により４−クロロ−３−ヒドロキシブチルアミドを得る、請求項３〜６のいずれか１項に記載の方法。
【請求項８】
工程I’において添加された、ニッケル、亜鉛、コバルトからなる群から選ばれる金属の塩の濃度の合計が、工程IIの反応液中において０．１〜１，０００ｐｐｍである、請求項３〜７のいずれか１項に記載の方法。
【請求項９】
請求項１〜８のいずれか１項に記載の方法で得られる４−ハロ−３−ヒドロキシブチルアミドを含む水溶液を、トリメチルアミンを接触させる、カルニチンアミドの製造方法。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
被加工板材に対しパンチを用いて貫通穴を形成するプレス加工方法であって、
被加工板材の第１の面を弾性材からなる基台に当接させた状態で前記第１の面とは反対側の第２の面からパンチで打ち抜いて前記貫通穴を形成し、
前記被加工板材を前記パンチによって打ち抜く際、前記被加工板材における貫通穴の周縁部を前記基台の弾性力に抗しつつ当該基台の厚さ方向の奥側へ押し込んで変形させることによって、前記被加工板材に開設された貫通穴の開口周縁部に、開口縁に向かうほど打ち抜き方向に彎曲して漏斗状に落ち込む陥没部を形成したことを特徴とするプレス加工方法。
【請求項２】
前記被加工板材を打ち抜いた後、前記基台の弾性力に抗しながら前記パンチを基台の厚さ方向の奥側へさらに押し込むことを特徴とする請求項１に記載のプレス加工方法。
【請求項３】
パンチで打ち抜いた抜きカスを、基台の表面に押圧形成される凹部内に残留保持することを特徴とする請求項２に記載のプレス加工方法。
【請求項４】
前記被加工板材表面から前記基台内への前記パンチの押し込み量が、被加工板材の厚さの２倍以上であることを特徴とする請求項２又は請求項３に記載のプレス加工方法。
【請求項５】
前記貫通穴の内径が、十数μｍ〜数十μｍの範囲であることを特徴とする請求項１から請求項４の何れか一項に記載のプレス加工方法。
【請求項６】
前記被加工板材の厚さが、貫通穴の内径の寸法範囲と同範囲内の値を採ることを特徴とする請求項５に記載のプレス加工方法。
【請求項７】
前記被加工板材における貫通穴間の距離が、貫通穴の内径の２倍以上であることを特徴とする請求項５又は請求項６に記載のプレス加工方法。
【請求項８】
前記被加工板材がステンレス板であることを特徴とする請求項１から請求項７の何れか一項に記載のプレス加工方法。
【請求項９】
被加工板材の第１の面を弾性材からなる基台に当接させた状態で前記第１の面とは反対側の第２の面からパンチで打ち抜く際、被加工板材における貫通穴の周縁部を前記基台の弾性力に抗しつつ当該基台の厚さ方向の奥側へ押し込んで変形させることによって、前記被加工板材に開設された貫通穴の開口周縁部に、開口縁に向かうほど打ち抜き方向に彎曲して漏斗状に落ち込む陥没部を形成したことを特徴とするパンチングプレート。
【請求項１０】
被加工材に複数の貫通穴を開設してなるパンチングプレートであって、
前記貫通穴の開口周縁部に、開口縁に向かうほど打ち抜き方向に彎曲して漏斗状に落ち込む陥没部を有することを特徴とするパンチングプレート。
【請求項１１】
液体供給源からノズル開口に至るまでの一連の液体流路が形成され、圧力発生源を駆動することによりノズル開口から液体を噴射する液体噴射ヘッドであって、
請求項１から請求項８の何れか一項に記載のプレス加工方法によって複数の貫通穴が開設されたフィルタを前記液体流路の途中に配置し、
当該フィルタによって液体流路を流れる液体を濾過するように構成したことを特徴とする液体噴射ヘッド。
【請求項１２】
前記フィルタを、前記貫通穴の打ち抜き方向が液体流路を流れる液体の流下方向に沿う状態で配置したことを特徴とする請求項１１に記載の液体噴射ヘッド。
【手続補正２】
【補正対象書類名】明細書
【補正対象項目名】０００８
【補正方法】変更
【補正の内容】
【０００８】
本発明は、上記目的を達成するために提案されたものであり、被加工板材に対しパンチを用いて貫通穴を形成するプレス加工方法であって、
被加工板材の第１の面を弾性材からなる基台に当接させた状態で前記第１の面とは反対側の第２の面からパンチで打ち抜いて前記貫通穴を形成し、
前記被加工板材を前記パンチによって打ち抜く際、前記被加工板材における貫通穴の周縁部を前記基台の弾性力に抗しつつ当該基台の厚さ方向の奥側へ押し込んで変形させることによって、前記被加工板材に開設された貫通穴の開口周縁部に、開口縁に向かうほど打ち抜き方向に彎曲して漏斗状に落ち込む陥没部を形成したことを特徴とする。
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
表裏面に画像記録が可能な長尺記録媒体の裏面を円筒面で当接して支持する第１のドラムと、
前記第１のドラムに支持されている前記記録媒体の表面に対してインクを吐出して画像を記録する第１のインクジェットヘッドと、
前記第１のドラムの円筒面上における第１のメンテナンス位置及び第１の退避位置との間を移動可能に支持され、前記第１のメンテナンス位置において前記第１のインクジェットヘッドのメンテナンス処理を行う第１のメンテナンス部と、
前記第１のメンテナンス部と装置下方に位置する廃インク回収ボトルとの間に配設され、前記第１のメンテナンス部で回収される廃インクを前記廃インク回収ボトルに流す第１の廃インク経路と、
前記記録媒体の表面を円筒面で当接して支持する第２のドラムと、
前記第２のドラムに支持されている前記記録媒体の裏面に対してインクを吐出して画像を記録する第２のインクジェットヘッドと、
前記第２のドラムの円筒面上における第２のメンテナンス位置及び第２の退避位置との間を移動可能に支持され、前記第２のメンテナンス位置において前記第２のインクジェットヘッドのメンテナンス処理を行う第２のメンテナンス部と、
前記第２のメンテナンス部と装置下方に位置する前記廃インク回収ボトルとの間に配設され、前記第２のメンテナンス部で回収される廃インクを前記廃インク回収ボトルに流す第２の廃インク経路と、
を有するインクジェットプリンタにおいて、
前記第１のドラムと前記第２のドラムは、上下に離間して配置し、
前記第１の退避位置における前記第１のメンテナンス部と前記第２の退避位置における前記第２のメンテナンス部とを鉛直方向に沿ってそれぞれ配置するとともに、
前記第１のメンテナンス位置における前記第１のメンテナンス部と前記第２のメンテナンス位置における前記第２のメンテナンス部とを鉛直方向に沿ってそれぞれ配置したことを特徴とする画像記録装置。
【請求項２】
前記第１の廃インク経路及び前記第２の廃インク経路を鉛直方向に平行な同一線上に沿って延在させることを特徴とする、請求項１に記載の画像記録装置。
【請求項３】
前記第１のドラムに対する前記第１の退避位置と、前記第２のドラムに対する前記第２の退避位置と、が互いに同じ位置であるとともに、
前記第１のドラムに対する前記第１のメンテナンス位置と、前記第２のドラムに対する前記第２のメンテナンス位置と、が互いに同じ位置であることを特徴とする請求項１または２に記載の画像記録装置。
【請求項４】
前記第１のメンテナンス部の前記第１の退避位置から前記第１のメンテナンス位置への移動量と、前記第２のメンテナンス部の前記第２の退避位置から前記第２のメンテナンス位置への移動量と、が互いに同じ移動量であるととともに、
前記第１のメンテナンス部の前記第１のメンテナンス位置から前記第１の退避位置への移動量と、前記第２のメンテナンス部の前記第２のメンテナンス位置から前記第２の退避位置への移動量と、が互いに同じ移動量であることを特徴とする請求項１乃至３のいずれかに記載の画像記録装置。
【請求項５】
前記第１のメンテナンス部の前記第１の退避位置から前記第１のメンテナンス位置への移動方向と、前記第２のメンテナンス部の前記第２の退避位置から前記第２のメンテナンス位置への移動方向と、が互いに同じ移動方向であるととともに、
前記第１のメンテナンス部の前記第１のメンテナンス位置から前記第１の退避位置への移動方向と、前記第２のメンテナンス部の前記第２のメンテナンス位置から前記第２の退避位置への移動方向と、が互いに同じ移動方向であることを特徴とする請求項１乃至４のいずれかに記載の画像記録装置。
【手続補正２】
【補正対象書類名】明細書
【補正対象項目名】０００８
【補正方法】変更
【補正の内容】
【０００８】
本発明は上記目的を達成するために、  表裏面に画像記録が可能な長尺記録媒体の裏面を円筒面で当接して支持する第１のドラムと、前記第１のドラムに支持されている前記記録媒体の表面に対してインクを吐出して画像を記録する第１のインクジェットヘッドと、前記第１のドラムの円筒面上における第１のメンテナンス位置及び第１の退避位置との間を移動可能に支持され、前記第１のメンテナンス位置において前記第１のインクジェットヘッドのメンテナンス処理を行う第１のメンテナンス部と、前記第１のメンテナンス部と装置下方に位置する廃インク回収ボトルとの間に配設され、前記第１のメンテナンス部で回収される廃インクを前記廃インク回収ボトルに流す第１の廃インク経路と、前記記録媒体の表面を円筒面で当接して支持する第２のドラムと、前記第２のドラムに支持されている前記記録媒体の裏面に対してインクを吐出して画像を記録する第２のインクジェットヘッドと、前記第２のドラムの円筒面上における第２のメンテナンス位置及び第２の退避位置との間を移動可能に支持され、前記第２のメンテナンス位置において前記第２のインクジェットヘッドのメンテナンス処理を行う第２のメンテナンス部と、前記第２のメンテナンス部と装置下方に位置する前記廃インク回収ボトルとの間に配設され、前記第２のメンテナンス部で回収される廃インクを前記廃インク回収ボトルに流す第２の廃インク経路と、を有するインクジェットプリンタにおいて、前記第１のドラムと前記第２のドラムは、上下に離間して配置し、前記第１の退避位置における前記第１のメンテナンス部と前記第２の退避位置における前記第２のメンテナンス部とを鉛直方向に沿ってそれぞれ配置するとともに、前記第１のメンテナンス位置における前記第１のメンテナンス部と前記第２のメンテナンス位置における前記第２のメンテナンス部とを鉛直方向に沿ってそれぞれ配置した画像記録装置を提供する。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
遊技者が所定の遊技を行い、特定の条件の成立に応じて遊技者に所定の遊技価値を付与可能な遊技機であって、
遊技の進行を制御する遊技制御手段と、
前記遊技制御手段から出力されるコマンドにもとづいて演出装置の制御を行う演出制御手段と、
変動するデータを記憶する変動データ記憶手段と、
遊技機への電力供給が停止しても所定期間は前記変動データ記憶手段の記憶内容を保持することが可能な記憶保持手段と、
所定電位の電源の出力電圧を監視し検出条件が成立した場合に検出信号を出力する電源監視手段とを備え、
前記遊技制御手段は、
前記電源監視手段から前記検出信号が出力されたときに、制御状態の復旧に必要なデータを前記変動データ記憶手段に保持させるための電力供給停止時処理を実行可能であり、
遊技機への電力供給が開始された場合に、制御状態を初期化する初期化処理と前記変動データ記憶手段の記憶内容にもとづいて制御状態を復旧する復旧処理とのうちいずれか一方を実行可能であって、
前記初期化処理を実行する場合には、該初期化処理を実行することを示す初期化報知コマンドを前記演出制御手段に出力し、
前記演出制御手段は、
前記初期化報知コマンドを入力したことにもとづいて前記演出装置により前記初期化処理が実行されることを示す初期化報知を実行し、
前記初期化報知を実行しているときに前記遊技制御手段から所定の制御の実行を示すコマンドを受信した場合には当該コマンドを無効にする
ことを特徴とする遊技機。
【手続補正２】
【補正対象書類名】明細書
【補正対象項目名】００１５
【補正方法】変更
【補正の内容】
【００１５】
本発明による遊技機は、遊技者が所定の遊技を行い、特定の条件の成立に応じて遊技者に所定の遊技価値を付与可能な遊技機であって、遊技の進行を制御する遊技制御手段（例えばＣＰＵ５６を含む遊技制御手段）と、遊技制御手段から出力されるコマンドにもとづいて演出装置の制御を行う演出制御手段と、変動するデータを記憶する変動データ記憶手段（例えばＲＡＭ５５）と、遊技機への電力供給が停止しても所定期間は変動データ記憶手段の記憶内容を保持することが可能な記憶保持手段（例えばバックアップ電源）と、所定電位の電源の出力電圧を監視し検出条件が成立した場合に検出信号（例えば電源断信号）を出力する電源監視手段（例えば電源監視用ＩＣ９０２）とを備え、遊技制御手段が、電源監視手段から検出信号が出力されたときに、制御状態の復旧に必要なデータを変動データ記憶手段に保持させるための電力供給停止時処理（例えばステップＳ４５１〜Ｓ４９９およびステップＳ１７１，Ｓ１７２）を実行可能であり、遊技機への電力供給が開始された場合に、制御状態を初期化する初期化処理（例えばステップＳ１８３〜Ｓ１９０）と変動データ記憶手段の記憶内容にもとづいて制御状態を復旧する復旧処理（例えばステップＳ８０〜Ｓ９５）とのうちいずれか一方を実行可能であって、初期化処理を実行する場合には、初期化処理を実行することを示す初期化報知コマンドを演出制御手段に出力し、演出制御手段は、初期化報知コマンドを入力したことにもとづいて演出装置により初期化処理が実行されることを示す初期化報知を実行し、初期化報知を実行しているときに遊技制御手段から所定の制御の実行を示すコマンドを受信した場合には当該コマンドを無効にすることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】変更
【補正の内容】
【００２５】
本発明によれば、遊技機を、遊技制御手段が、初期化処理を実行する場合には、初期化処理を実行することを示す初期化報知コマンドを演出制御手段に出力し、演出制御手段は、初期化報知コマンドを入力したことにもとづいて演出装置により初期化処理が実行されることを示す初期化報知を実行し、初期化報知を実行しているときに遊技制御手段から所定の制御の実行を示すコマンドを受信した場合には当該コマンドを無効にするように構成したので、初期化処理が実行されるときに初期化報知が実行され、変動データ記憶手段の記憶内容を初期化させることによって不正に大当りを生じさせることを困難にすることができる効果がある。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線源と、前記被検体を透過してきたＸ線を検出するＸ線検出器とを備え、前記Ｘ線源及び前記Ｘ線検出器を造影剤が注入された前記被検体の周囲で回転させるスキャンにより前記被検体の検査部位の造影撮影を行うＸ線ＣＴ装置において、
前記被検体に造影剤を注入することにより時間的に変化する前記検査部位の濃度と周囲組織の濃度の差を表すコントラストであって、前記スキャン時の時相に対応するコントラストを予測する予測手段と、
前記スキャン時の時相におけるＸ線条件を、前記予測したコントラストに基づいて予め設定されたコントラストノイズ比を満足するように算出する算出手段と、
前記算出されたＸ線条件となるように、前記Ｘ線源を制御する制御手段と、
を備えたことを特徴とするＸ線ＣＴ装置。
【請求項２】
前記検査部位又は該検査部位よりも上流側の特定部位を前記スキャン時よりも低線量でモニタリングスキャンさせる手段を備え、
前記予測手段は、前記被検体に造影剤を注入した後に前記モニタリングスキャンで得られる時間濃度曲線に基づいて、前記被検体の検査部位における前記スキャン時の時相とその時相における前記コントラストとの関係を予測することを特徴とする請求項１に記載のＸ線ＣＴ装置。
【請求項３】
前記予測手段は、前記被検体に造影剤を注入することにより時間的に変化する前記検査部位の時間濃度曲線と周囲組織の時間濃度曲線との差を表す時間コントラスト曲線の標準データを保持し、血管造影撮影のスキャンプロトコル、前記被検体の身体的特徴量、又は前記Ｘ線条件に基づいて前記標準データを変形させて得られた時間コントラスト曲線を用いて、前記スキャン時の時相に対応するコントラストを予測することを特徴とする請求項１又は２に記載のＸ線ＣＴ装置。
【請求項４】
前記予測手段は、前記被検体に造影剤を注入することにより時間的に変化する前記検査部位の時間濃度曲線と周囲組織の時間濃度曲線との差を表す時間コントラスト曲線を算出し、
前記Ｘ線ＣＴ装置は、前記算出された時間コントラスト曲線を表示し、その表示された時間コントラスト曲線に基づいて、前記スキャンを行う時相を入力する入力手段を更に備える、
ことを特徴とする請求項１、２、又は３に記載のＸ線ＣＴ装置。
【請求項５】
前記Ｘ線ＣＴ装置は、前記予想されたコントラストが、所定値を超える時相において前記スキャンを行う、
ことを特徴とする請求項１、２、３、又は４に記載のＸ線ＣＴ装置。
【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化することで前記遊技媒体が入賞可能となる開閉入賞装置と、
前記抽選手段の抽選結果が特殊当りである場合、前記開閉入賞装置の一回当りの開放時間を、数個の遊技媒体が辛うじて入賞できる程度の第一所定時間とするとともに、前記開閉入賞装置の開閉動作を少なくとも一回以上行うことで、遊技者に所定の利益を付与する所定利益付与手段と、
前記抽選手段の抽選結果が特定当りである場合、前記開閉入賞装置の一回当りの開放時間を、複数個の遊技媒体がゆとりを持って入賞できる程度の第二所定時間とするとともに、前記開閉入賞装置の開閉動作を、前記所定の利益を付与する場合の開閉動作の回数よりも多く行うことで、遊技者に特定の利益を付与する特定利益付与手段と、
少なくとも前記所定の利益を付与した後の抽選において前記特定の利益が付与される確率を通常時よりも高い確率変動状態に所定の割合で設定する高確率状態設定手段と、
遊技の進行に伴う遊技状態および前記抽選手段の抽選結果に関する演出画像を表示する演出表示装置と、
前記抽選手段の抽選結果に基づいて前記特定の利益が付与される期待度を示唆する期待度演出を決定する期待度演出決定手段と、
該期待度演出決定手段によって決定された前記期待度演出を前記演出表示装置に表示するとともに、当該期待度演出の結果として前記特定の利益を付与するか否かを表示する期待度演出表示手段と、
前記抽選手段の抽選結果が特定当りである場合には、前記期待度演出の結果として前記特定の利益を付与する旨を表示する一方、前記抽選手段の抽選結果が特殊当りである場合には、前記期待度演出の結果として前記特定の利益を付与しない旨を表示する大当り表示手段と、
前記期待度演出の結果として前記特定の利益を付与しない旨が表示されるのを契機に前記所定の利益を付与した後、前記高確率状態設定手段によって前記確率変動状態に設定されたか否かを遊技者に通知しない状態非通知演出を、前記特定の利益が付与される期待度の低い期待度演出が表示されたときほど高い割合で前記演出表示装置に表示する状態非通知演出表示手段と、を備えることを特徴とする遊技機。
【請求項２】
前記入賞状態検出手段による前記遊技媒体の検出に基づいて複数の装飾図柄列を変動させるとともに、前記抽選手段の抽選結果に対応した装飾図柄の停止図柄で変動を停止させる装飾図柄変動制御手段をさらに備え、
前記装飾図柄変動制御手段は、前記抽選手段の抽選結果が特殊当りである場合、前記期待度演出の結果を表示するにあたり、前記抽選手段の抽選結果が外れである場合に対応した装飾図柄の停止図柄と同様の停止図柄で変動を停止させることを特徴とする請求項１記載の遊技機。
【請求項３】
前記状態非通知演出表示手段は、前記所定の利益が付与された後、前記抽選手段の抽選回数が所定回数になると前記状態非通知演出を終了することを特徴とする請求項１または請求項２に記載の遊技機。
【手続補正書】
【提出日】平成22年5月24日(2010.5.24)
【手続補正１】
【補正対象書類名】明細書
【補正対象項目名】００３２
【補正方法】変更
【補正の内容】
【００３２】
次に、ステップＰ１３でアップ・ボタンがOFFか否かを判断し、可であればステップＰ１４で調整量カウント用カウンタ７７へのイネーブル信号出力を停止した後、ステップＰ１５で調整中の元ローラの回転速度比率FRRを、元ローラの回転速度比率FRR記憶用メモリ４１に上書きしてステップＰ５に戻る。ステップＰ１３で否であればステップＰ９に戻る。
【手続補正２】
【補正対象書類名】明細書
【補正対象項目名】００３５
【補正方法】変更
【補正の内容】
【００３５】
次に、ステップＰ２３でダウン・ボタンがOFFか否かを判断し、可であればステップＰ２４で調整量カウント用カウンタ７７へのイネーブル信号出力を停止した後、ステップＰ２５で調整中の元ローラの回転速度比率FRRを、元ローラの回転速度比率FRR記憶用メモリ４１に上書きしてステップＰ５に戻る。ステップＰ１６で否であれば直にステップＰ５に戻る。
【手続補正書】
【提出日】平成22年3月8日(2010.3.8)
【手続補正１】
【補正対象書類名】明細書
【補正対象項目名】０００６
【補正方法】変更
【補正の内容】
【０００６】
前記目的に沿う本発明に係る第１の流動接触分解触媒の製造方法は、ゼオライトと、結合材である塩基性塩化アルミニウムを含有する無機酸化物マトリックスとを混合して得られたｐＨ３．０〜４．４の混合スラリーに、弱塩基性物質を加えてｐＨ４．６〜５．２に調整して調整スラリーとし、該調整スラリーを液滴として噴霧乾燥する流動接触分解触媒の製造方法において、前記弱塩基性物質が、水酸化マグネシウム、水酸化カルシウム、炭酸水素ナトリウム、及び炭酸ナトリウムのいずれか１又は２以上からなる。
前記目的に沿う本発明に係る第２の流動接触分解触媒の製造方法は、ゼオライトと、結合材である塩基性塩化アルミニウムを含有する無機酸化物マトリックスと、水酸化マグネシウム、水酸化カルシウム、炭酸水素ナトリウム、及び炭酸ナトリウムからなる群から選ばれた少なくとも１つの弱塩基性物質とを含有するｐＨ４．６〜５．２の調整スラリーを液滴として噴霧乾燥する。
ここで、本発明の第１、第２の流動接触分解触媒に使用されるゼオライトとしては、Ｘ型ゼオライト、Ｙ型ゼオライト、モルデナイト、ＺＳＭ型ゼオライト等の合成ゼオライトや天然ゼオライトが使用できる。
また、結合材として使用される塩基性塩化アルミニウムは、下記（１）式で示される。
［Ａｌ２（ＯＨ）ｎＣｌ６−ｎ］ｍ・・・（１）
（ただし、０＜ｎ＜６、１≦ｍ≦１０、好ましくは４．８≦ｎ≦５．３、３≦ｍ≦７である。なお、ｍは、自然数を示す。）
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に導出された表示結果に応じて入賞が発生可能であるスロットマシンであって、
前記可変表示装置の表示結果が導出される前に、複数種類の入賞各々の発生を許容するか否かを決定する事前決定手段と、
前記事前決定手段の決定結果に応じて、前記可変表示装置の表示結果を導出させる導出制御手段と、
遊技状態を制御する遊技状態制御手段とを備え、
前記遊技状態制御手段は、
予め定められた初期化条件が成立したときに、前記事前決定手段により前記複数種類の入賞のうち前記遊技用価値を用いることなく次のゲームを行なうことが可能な再ゲーム入賞の発生を許容する旨の決定がされる確率が所定確率より高い初期遊技状態に制御する初期遊技状態制御手段と、
前記初期遊技状態に制御されているときに前記複数種類の入賞であって予め複数種類定められた移行入賞のうちのいずれかが発生したことを条件として、前記事前決定手段により前記再ゲーム入賞の発生を許容する旨が前記所定確率で決定され前記初期遊技状態よりも遊技者にとって不利な不利遊技状態に制御する不利遊技状態制御手段とを含み、
前記不利遊技状態制御手段は、前記不利遊技状態であって規定ゲーム数が異なる複数種類の不利遊技状態のうち、発生した移行入賞の種類に応じた不利遊技状態に制御し、
前記初期遊技状態制御手段は、前記不利遊技状態が開始された後に消化したゲーム数が当該不利遊技状態の規定ゲーム数に到達したときに、当該不利遊技状態を終了させて前記初期遊技状態に制御することを特徴とする、スロットマシン。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
光を発生する光源部と、 
上記光源部からの光を被検体に照射する複数の照射プローブと、
上記被検体の透過光を検出する複数の検出プローブと、 
上記検出プローブに入射された透過光をそれぞれ光電変換する検出器と、 
上記検出器からの信号に対して、上記光源部での変調周波数を参照周波数としてそれぞれロックイン処理を行うロックイン処理部と、 
上記ロックイン処理部からの信号に基づいて上記被検体の光学特性を計測する計測装置本体とを備えた生体光計測装置において、  
上記ロックイン処理部には、上記検出器からの信号から低周波成分を取り除く低域カットフィルタ部が設けられ、上記光源部の光の発生のオン・オフに同期して上記低域カットフィルタ部に入力する信号のオン・オフを行うスイッチ部が設けられていることを特徴とする生体光計測装置。  
【請求項２】
上記スイッチ部は、上記検出器と上記低域カットフィルタ部との間に設けられた複数のアナログスイッチを含むことを特徴とする請求項１記載の生体光計測装置。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
信号線、
前記信号線を覆って保護する膜であり、表面にリペア溝が形成された保護膜、及び、
前記リペア溝の中に形成され、信号線の不良部分の両側でその信号線に接続されているリペア配線、
を有する表示基板。
【請求項２】
前記リペア溝の各端部が、前記不良部分から、前記不良部分を含む信号線の方向に所定距離ずつ離れ、
前記リペア配線が前記リペア溝の各端部で、前記不良部分を含む信号線の、前記不良部分より外側に位置する各部分に接続されている、
請求項１に記載の表示基板。
【請求項３】
前記保護膜が、信号線を直に覆っている第１サブ保護膜、及び前記第１サブ保護膜の上に形成された第２サブ保護膜を含み、
前記リペア溝の中では前記第２サブ保護膜の一部が除去され、前記第１サブ保護膜の一部が露出している、
請求項１に記載の表示基板。
【請求項４】
前記第１サブ保護膜がパッシベーション膜であり、前記第２サブ保護膜が有機絶縁膜又はカラーフィルタのいずれかを含む、請求項３に記載の表示基板。
【請求項５】
前記リペア溝の各端部では前記保護膜に接続ホールが形成され、前記接続ホールから信号線の一部が露出し、
前記リペア配線が前記接続ホールから露出している信号線の部分に接続されている、
請求項２に記載の表示基板。
【請求項６】
前記リペア溝が、前記不良部分を含む信号線に沿って延びている、請求項２に記載の表示基板。
【請求項７】
前記信号線が、互いに交差するゲート配線及びデータ配線を含み、
前記不良部分が、前記ゲート配線と前記データ配線との交差点に位置し、
前記交差点と前記リペア溝の各端部との間では前記保護膜に切断溝が形成され、
前記切断溝により、前記不良部分を含む信号線が切断されている、
請求項２に記載の表示基板。
【請求項８】
前記リペア溝が前記切断溝から離れている、請求項７に記載の表示基板。
【請求項９】
前記リペア溝の平面形状が実質的にＵ字形状である、請求項８に記載の表示基板。
【請求項１０】
前記切断溝の中を満たしている絶縁物質、を更に有する、請求項７に記載の表示基板。
【請求項１１】
前記リペア溝が前記切断溝と交差している、請求項１０に記載の表示基板。
【請求項１２】
前記保護膜によって覆われて保護され、前記信号線に接続された薄膜トランジスタ、及び、
前記保護膜の上に形成され、前記薄膜トランジスタに接続された画素電極、
を更に有する、請求項１に記載の表示基板。
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
複数の画素を有する表示領域に形成された複数の信号配線と、
前記信号配線に駆動信号を供給する駆動部と、
前記表示領域の外側に形成され、前記信号配線と前記駆動部との間に配置され、その一端が前記駆動部と連結される複数のファンアウト配線を含むファンアウト配線部と、
前記信号配線と前記ファンアウト配線との間に前記信号配線に沿って形成され前記信号配線と前記ファンアウト配線とを連結し、少なくとも一部は少なくとも一つ又は複数の同一形状パターンの繰り返しを含む屈曲パターンを有する複数の信号補償配線を備える信号補償配線部と、
を含む表示装置。
【請求項２】
前記信号補償配線は前記屈曲パターンを有し、前記屈曲パターンの繰り返し数は、前記信号補償配線部の端部分の信号補償配線から中央部の信号補償配線に行くほど増加する、請求項１に記載の表示装置。
【請求項３】
前記信号補償配線及び前記ファンアウト配線は、前記信号配線と同一層上に形成されている、請求項２に記載の表示装置。
【請求項４】
前記信号配線は、ゲート配線及びデータ配線のうち、少なくともいずれか１つである、請求項３に記載の表示装置。
【請求項５】
前記表示装置は画素を含み、
前記画素は、対向する一対の第１辺と対向する一対の第２辺とを有し、前記データ配線に沿った前記第１辺の長さが前記データ配線と交差し前記第１辺と隣り合う前記第２辺の長さより短い、請求項４に記載の表示装置。
【請求項６】
前記ファンアウト配線部又は前記信号補償配線部のうち、少なくとも一部と重なる信号補償電極と、
前記信号補償電極と前記ファンアウト配線部又は前記信号補償配線部との間に介在する絶縁層と、を更に含む、請求項２に記載の表示装置。
【請求項７】
前記信号補償電極は透明伝導体で形成されている、請求項６に記載の表示装置。
【請求項８】
前記信号補償電極は、前記ファンアウト配線部の一部と重なっている、請求項７に記載の表示装置。
【請求項９】
前記信号補償電極は、前記ファンアウト配線との重畳面積がファンアウト配線部の端部分からファンアウト配線部の中央部に行くほど増加する形状を有する、請求項８に記載の表示装置。
【請求項１０】
前記信号補償電極は三角形状を有する、請求項９に記載の表示装置。
【請求項１１】
前記ファンアウト配線部は、少なくとも５００本のファンアウト配線を有する、請求項２に記載の表示装置。
【請求項１２】
前記ファンアウト配線部又は前記信号補償配線部のうち、少なくとも一部と重なる信号補償電極と、
前記信号補償電極と前記ファンアウト配線部又は前記信号補償配線部との間に介在する絶縁層と、を更に含む、請求項１１に記載の表示装置。
【請求項１３】
前記信号補償電極は、前記ファンアウト配線部の一部と重なっている、請求項１２に記載の表示装置。
【請求項１４】
前記信号補償電極は、前記ファンアウト配線との重畳面積がファンアウト配線部の端部分からファンアウト配線部の中央部に行くほど増加する形状を有する、請求項１３に記載の表示装置。
【請求項１５】
前記信号補償電極は三角形状を有する、請求項１４に記載の表示装置。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
識別データを含む証明書要求をクライアントから受信する受信手段と、
前記証明書要求に従って、前記クライアントに対して実行可能な機能を制限する制約データを含む証明書を生成する生成手段と、
前記証明書を、画像処理装置に出力する出力手段と、
文書処理要求を、前記クライアントから受け取る要求受信手段と、
前記文書処理要求の照合データを前記証明書と比較して、前記文書処理要求の少なくとも１つの文書処理操作が前記制約データに対応するかを判定する検証手段と、
前記証明書を表す証明データを前記クライアントに通信する通信手段と、
前記検証手段の検証結果に従って前記画像処理装置上で前記文書処理操作を選択的に開始する制御手段と、
前記制御手段による前記文書処理操作に関して、前記クライアントへの通知を生成する通知生成手段とを具備することを特徴とする証明を必要とする画像処理システム。
【請求項２】
前記制約データが、前記クライアントに対する許可機能セットを表し、プリント処理にかかわる最大ページ数、最大ジョブ数、カラー出力、媒体、用紙タイプ、記憶装置、及び後処理オプションの少なくとも１つを含むことを特徴とする請求項１に記載の証明を必要とする画像処理システム。
【請求項３】
前記証明書要求は、支払データを含み、前記制約データは前記支払データに従って生成することを特徴とする請求項１又は請求項２に記載の証明を必要とする画像処理システム。
【請求項４】
前記証明書は、前記画像処理装置のネットワークアドレスに対応するアドレスデータを含むことを特徴とする請求項１乃至請求項３のいずれかに記載の証明を必要とする画像処理システム。
【請求項５】
前記受信手段及び、前記発生手段並びに、前記出力手段は、システムの管理者に関係していて、ネットワークを介して前記クライアントとデータ通信可能であることを特徴とする請求項１乃至請求項４のいずれかに記載の証明を必要とする画像処理システム。
【請求項６】
前記画像処理装置は、多機能周辺装置であり、前記ネットワークアドレスは、前記画像処理装置のＵＲＬ（Ｕｎｉｆｏｒｍ  Ｒｅｓｏｕｒｃｅ  Ｌｏｃａｔｏｒ）を含むことを特徴とする請求項４に記載の証明を必要とする画像処理システム。
【請求項７】
識別データを含む証明書要求をクライアントから受信する受信ステップと、
前記証明書要求に従って、前記クライアントに対して実行可能な機能を制限する制約データを含む証明書を生成する生成ステップと、
前記証明書を、画像処理装置に出力する出力ステップと、
文書処理要求を、前記クライアントから受け取る要求受信ステップと、
前記文書処理要求の照合データを前記証明書と比較して、前記文書処理要求の少なくとも１つの文書処理操作が前記制約データに対応するかを判定する検証ステップと、
前記証明書を表す証明データを前記クライアントに通信する通信ステップと、
前記検証ステップの検証結果に従って前記画像処理装置上で前記文書処理操作を選択的に開始する制御ステップと、
前記制御ステップによる前記文書処理操作に関して、前記クライアントへの通知を生成する通知生成ステップとを具備することを特徴とする証明を必要とする画像処理方法。